(57)【特許請求の範囲】
【請求項１】
押子に対する前方へのスライド操作により筆記先端部を軸筒前端から突出させ、同押子が付勢部材の付勢力によって後方へスライドされることで、前記筆記先端部を軸筒内へ没入するようにした出没式筆記具において、
前記押子には、そのスライド方向と交差する方向へ突出する鍔部が設けられるとともに、該鍔部付け根の前側と後側にそれぞれ近接するように、前後の凹部が設けられ、
前記軸筒には、筆記先端部が軸筒内へ没入した際に、前記押子の前記鍔部を受けて、前記押子の後方へのスライドを規制する受け部が設けられていることを特徴とする出没式筆記具。
【請求項２】
前記付勢部材は、前記押子を後方へ弾発するようにして、前記軸筒内に設けられた圧縮コイルバネであり、
この圧縮コイルバネは、伸縮方向の中途箇所に、前後の巻き線を略密着させてなる密着部を有することを特徴とする請求項１記載の出没式筆記具。
【請求項３】
前記鍔部には、前記受け部に対し当接するように突起が設けられていることを特徴とする請求項１又は２記載の出没式筆記具。
【請求項４】
前記鍔部と前記受け部とを、点接触または線接触させるように形成したことを特徴とする請求項１乃至３何れか１項記載の出没式筆記具。
【請求項５】
前記鍔部を受け部側へ傾斜するように形成し、この鍔部の突端を前記受け部に対し当接させるようにしたことを特徴とする請求項１乃至４何れか１項記載の出没式筆記具。
【発明の詳細な説明】
【技術分野】
【０００１】
本発明は、押子を進退させる操作により、ボールペンチップやシャープペンシル先端部等の筆記先端部を軸筒の先端から出没させるようにした出没式筆記具に関するものである。
【背景技術】
【０００２】
従来、この種の出没式筆記具では、リフィールが後退した際の衝撃により、リフィール内のインクが移動したり、インク内に空気が混入したり、シャープペンシルの芯が折れたり、あるいは高周波数領域の衝撃音により高級感を醸し出すことができない等の不具合を生じる場合があった。
そこで、例えば、特許文献１に記載された発明では、リフィール後端に装着された押子（摺動体３）に薄肉部（３５）を設け、この薄肉部（３５）を、押子（摺動体３）及びリフィールの後退時に、受部（２１）に当接させることで、前記後退時の衝撃を緩和するようにしている。
【０００３】
しかしながら、前記従来技術では、前記薄肉部（３５）の弾性的な撓みにより、後退時の衝撃を緩和するようにしているため、その衝撃緩和作用を効果的に得るためには、前記薄肉部（３５）の厚みを相当薄くする必要があり、薄肉部（３５）の破損等の問題が懸念されていた。
更に、前記薄肉部（３５）が受部（２１）に当接した際の耳障りな音を緩和するという観点においても、より効果的な構成が求められていた。
【特許文献１】実用新案登録第３１２６６７１号公報
【発明の開示】
【発明が解決しようとする課題】
【０００４】
本発明は上記従来事情に鑑みてなされたものであり、その課題とする処は、押子後退時の衝撃に起因する問題を、より効果的に緩和することができる出没式筆記具を提供することにある。
【課題を解決するための手段】
【０００５】
上記課題を解決するために本発明に係る技術的手段は、押子に対する前方へのスライド操作により筆記先端部を軸筒前端から突出させ、同押子が付勢部材の付勢力によって後方へスライドされることで、前記筆記先端部を軸筒内へ没入するようにした出没式筆記具において、前記押子には、そのスライド方向と交差する方向へ突出する鍔部が設けられるとともに、該鍔部付け根の前側と後側にそれぞれ近接するように、前後の凹部が設けられ、前記軸筒には、筆記先端部が軸筒内へ没入した際に、前記押子の前記鍔部を受けて、前記押子の後方へのスライドを規制する受け部が設けられていることを特徴とする。
【０００６】
更なる技術的手段によれば、前記付勢部材は、前記押子を後方へ弾発するようにして、前記軸筒内に設けられた圧縮コイルバネであり、この圧縮コイルバネは、伸縮方向の中途箇所に、前後の巻き線を略密着させてなる密着部を有することを特徴とする。
【０００７】
更なる技術的手段によれば、前記鍔部には、前記受け部に対し当接するように突起が設けられていることを特徴とする。
【０００８】
更なる技術的手段によれば、前記鍔部と前記受け部とを、点接触または線接触させるように形成したことを特徴とする。
【０００９】
更なる技術的手段によれば、前記鍔部を受け部側へ傾斜するように形成し、この鍔部の突端を前記受け部に対し当接させるようにしたことを特徴とする。
【発明の効果】
【００１０】
本発明は、以上説明したように構成されているので、以下に記載されるような作用効果を奏する。
鍔部付け根の前側と後側にそれぞれ近接して凹部が設けられているため、鍔部を比較的厚く形成したとしても、その鍔部によって効果的な衝撃緩和作用を得ることができ、ひいては、鍔部の破損を防止できる上、高周波数領域の衝撃音により高級感を醸し出すことができない等の不具合を解消することができる。
【発明を実施するための最良の形態】
【００１１】
以下、本発明の実施の形態を図面に基づいて説明する。
この出没式筆記具Ａは、軸筒１０の後端側に露出した押子２０に対する前方へのスライド操作により、ボールペン用のリフィール３０の筆記先端部３１を軸筒前端から突出させ、同押子２０が付勢部材４０の付勢力によって後方へスライドされることで、前記筆記先端部３１を軸筒内へ没入するように構成してある。
なお、出没式筆記具Ａは、図１に示すように、軸筒１０内の複数種類のリフィールを選択的に出没させる構成となっているが、本実施の形態では、特にボールペン用のリフィール３０に関係する構成のみを詳細に説明する。
【００１２】
軸筒１０は、軸方向に貫通された略長尺筒状を呈し、その先端側を先細状に形成した周知の部材である。
この軸筒１０は、単一の部材から構成されていてもよいし、複数の部材を軸方向に連結して構成してもよい。また、先端側の先細状部分（図示せず）を、先口部として別体の部材から形成してもよい。
この軸筒１０の後端側の周壁には、押子２０を進退可能に露出させるように、軸筒軸方向へ長尺な案内孔１１が貫通形成されている。
【００１３】
また、軸筒１０の内周面には、前方へスライドした際の押子２０を係止するための被係止部１２（図１参照）が形成されている。
この被係止部１２は、図示例によれば、案内孔１１の長さ方向（軸筒軸方向）の中途位置において、同案内孔１１に対する軸筒周方向の両側にそれぞれ配設され、前方へスライドして軸筒求心方向へ沈み込んだ際の押子２０を係止する。
【００１４】
更に、軸筒１０の内周面には、筆記先端部３１を没入させる動作時に、後方へスライドした際の押子２０を受けて、該押子２０の後方への移動を規制する受け部１３（図２参照）が形成されている。
この受け部１３は、図示例によれば、案内孔１１の長さ方向の前端側において、同案内孔１１の両側に段付き状にそれぞれ配設され、後方へスライドした際の押子２０の鍔部２２，２２を係止する（図２（ａ）（ｂ）参照）。
【００１５】
なお、前記受け部１３は、図示例の構造に限定されるものでなく、例えば、案内孔１１の長さ方向の中央側や後端側において後方へスライドした際の押子２０を受ける構成等とすることも可能である。
【００１６】
また、押子２０は、図３（ａ）に示すように、その前端側に、リフィール３０の後端へ挿入嵌合されるリフィール嵌合部２１と、付勢部材４０の後端部に挿入嵌合されるバネ装着部２６を有する。更に、押子２０前端側におけるリフィール嵌合部２１及びバネ装着部２６よりも後ろ側には、鍔部２２、および該鍔部２２前後の凹部２３，２４を有する。
また、押子２０の後端側には、軸筒１０の案内孔１１から外部に突出される操作突部２５（図１及び図２参照）を有する。
【００１７】
鍔部２２は、押子２０のスライド方向と交差する方向へ突出する突起であり、図示例によれば、押子２０の長手方向に略直交するようにして、押子２０の両方の側部から突出している。そして、これら両鍔部２２，２２は、それぞれが軸筒１０の受け部１３によって受けられることになる。
なお、押子２０は、軸筒後方へ移動した際、前記鍔部２２のみによって受けられ、該押子２０の後端部は、何れの部材にも当接しない。
【００１８】
また、押子２０における各鍔部２２の付け根の前側には、凹部２３が設けられている。同様にして、押子２０における各鍔部２２の付け根の後側にも、凹部２４が設けられている。
前側の凹部２３は、鍔部２２に近接するとともに、押子２０における鍔部２２よりも前側の幅広部分２５ａに食い込むようにして、断面略Ｖ字状に形成されている。
後側の凹部２４は、鍔部２２に近接するとともに、押子２０における鍔部２２よりも後側の幅狭部分２５ｂに食い込むようにして、断面略Ｖ字状に形成されている。
凹部２３と凹部２４の深さは、図示例によれば、略同等に設定されている。
【００１９】
押子２０における前記幅広部分２５ａよりも前側の部分は、図３（ａ）に特によく示すように、段階的に幅狭に形成されることで、バネ装着部２６とリフィール嵌合部２１が形成されている。
【００２０】
また、付勢部材４０は、コイル状の圧縮バネであり、その前端面を、軸筒１０の内周面に固定されたガイド体５０に当接させるとともに、その後端面を、各押子２０のバネ装着部２６に係止させて、押子２０を後方へ弾発している。
この付勢部材４０は、より詳細に説明すれば、その伸縮方向の両端側に端部座巻部４１，４２を有するとともに、これら端部座巻部４１，４２間の中途箇所に密着部４３（中間座巻と呼称される場合もある。）を有する。
これら座巻部４１，４２，４３の各々は、付勢部材４０を構成する巻き線部分を、数巻き（例えば２〜８巻き）程度、前後に略密着させた部分である。特に密着部４３は、伸縮方向の略中央に位置している。
【００２１】
図示例の付勢部材４０は、特に好ましい一例として、線径約０．２３ｍｍ、内径約３．１４ｍｍ、外径約３．６ｍｍ、有効巻数２５、自由長約２６ｍｍ、端部座巻数３、中間部座巻数３の圧縮コイルバネであり、筆記先端部突出状態でのセット長が２３．０５ｍｍ、筆記先端部没入状態でのセット長が８．７５ｍｍ、筆記先端部突出状態でのセット荷重が８．４６×１０−２Ｎ（８．６３ｇｆ）、筆記先端部没入状態でのセット荷重が４．９４×１０−１（５０．４５ｇｆ）となるように用いられている。
【００２２】
また、前記ガイド体５０は、軸筒１０内の複数のリフィール３０，６０をそれぞれ貫挿させて、各リフィール３０，６０をスムーズに進退させるための部材であり、軸筒１０の内周面に嵌合されている。
【００２３】
なお、図１中、符号６０はシャープペンシル用リフィール、符号６１はシャープペンシル用リフィール６０の後端に接続された押子、符号６２は押子６１に支持されたクリップ、符号６３は軸筒１０の後端に形成された消しゴム装着部、符号６４は消しゴム装着部６３に嵌め合わせられた消しゴム、符号６５は消しゴム６４を覆うようにして消しゴム装着部６３に対し着脱可能に嵌め合わせられたノックキャップ６５、符号６６はシャープペンシル用の押子６１を後方へ付勢する圧縮コイルバネである。
【００２４】
次に、上記構成の出没式筆記具Ａにおける特徴的な作用効果について、詳細に説明する。
出没式筆記具Ａは、操作者によって押子２０が前方へスライドされると（図２（ａ）参照）、リフィール３０の筆記先端部３１を軸筒１０の前端から突出させる。この突出状態は、押子２０の後端部が軸筒求心方向へ沈み込んで軸筒１０内の被係止部１２に係止されることで維持される。
【００２５】
前記押子２０の係止状態は、該押子２０が前方へスライド操作された他の押子６１に干渉されることで解除される。
押子２０は、前記解除操作により後方へスライドすると、両側部の鍔部２２，２２を軸筒１０の受け部１３に当接させて、後方へのスライドを停止する。
前記当接の際の衝撃は、鍔部２２，２２が弾性的に撓むことで緩和される。
詳細に説明すれば、各鍔部２２は、前後の凹部２３，２４によって突出量が比較的大きく確保されているため、前記当接の際の撓み量も比較的大きく確保される。そのため、前記当接の際の衝撃が効果的に緩和され、ひいては、リフィール３０内のインクが移動したり、リフィール３０内のインクに空気が混入したり等の不具合が生じるのを防ぐことができる。
【００２６】
しかも、凹部２３，２４を設けたことによって、鍔部２２の長さ（凹部２３，２４の底部から鍔部２２の突端面までの距離）を比較的長く確保することができるので、鍔部２２を比較的厚めに形成したとしても、その鍔部２２を効果的に撓ませることができる。ひいては、鍔部２２を比較的厚めに形成して前記衝撃に対する耐久性を向上し、前記衝撃に起因する鍔部２２の損傷を防止することが可能である。
その上、前記のように鍔部２２を厚めに形成すれば、前記当接の際の衝撃音が比較的周波数の低い音となるため、高周波数領域の衝撃音により高級感を醸し出すことができない等の不具合も解消することができる。
【００２７】
更に、鍔部２２が受け部１３に当接した際の衝撃によって、付勢部材４０の密着部４３が付勢部材４０の伸縮方向へ振動する。そのため、この振動と鍔部２２による緩衝作用との相乗効果によって、比較的低音で余韻の残る衝撃音を得ることができ、ひいては、解除のための操作音を、品位のある重厚な音にすることができる。
【００２８】
次に、上記押子２０の他の態様について説明する。以下に示す押子の他例において、上記押子２０と略同等の部分については、上記押子２０と同一の符号を用いることで詳細な説明を省略する。
【００２９】
図３（ｂ）に示す押子２０ｂは、上記押子２０の鍔部２２に対し、突起２２ａを付加した構成とされる。
突起２２ａは、左右の各鍔部２２の突端側から軸筒後方へ向かって突出することで、軸筒１０の受け部１３に対し当接するように設けられる。
この押子２０ｂによれば、鍔部２２が受け部１３に当接する際の面積を、突起２２ａによって比較的小さくすることができ、ひいては、その当接の際の衝撃音を、効果的に緩和することができる。
【００３０】
また、図３（ｃ）に示す押子２０ｃは、上記押子２０ｂに対し、突起２２ａを突起２２ａ’に置換した構成としている。
突起２２ａ’は、軸筒１０の受け部１３に対し、点接触または線接触するように、その突端に角部を有するように形成されている。
この押子２０ｃによれば、受け部１３との接触面積をより小さでき、ひいては、受け部１３に当接する際の衝撃音を一層効果的に低減することができる。
【００３１】
また、図３（ｄ）に示す押子２０ｃは、上述した押子２０の鍔部２２を、鍔部２７に置換した構成とされる。
鍔部２７は、軸筒１０の受け部１３側（図３によれば上方）へ傾斜するように形成され、その突端の角部２７ａを、受け部１３に対し点接触または線接触させる。
この押子２０ｃによれば、突端の角部２７ａにより受け部１３に対する接触面積を小さくでき、その上、鍔部２７が後方へ傾斜しているため、受け部１３に当接した際に傾斜状の鍔部２７を効果的に撓ませることができ、ひいては、受け部１３当接時の衝撃を更に緩和することができる。
【００３２】
なお、上述した出没式筆記具Ａによれば、複数のリフィール（図示例によればシャープペンシル用リフィールとボールペン用リフィール）の筆記先端部を選択的に出没する構成としているが、他例としては、単一のリフィールの筆記先端部を出没させる構成としてもよい。
【００３３】
また、上記実施の形態によれば、ボールペン用リフィール３０の押子２０に対し、上述した鍔部２２等の衝撃緩和構造を適用するようにしたが、シャープペンシル用リフィール６０の押子６１に対しても同構造を適用することが可能である。
【図面の簡単な説明】
【００３４】
【図１】本発明に係わる出没式筆記具の一例を示す断面図である。
【図２】同出没式筆記具の要部拡大断面図であり、（ａ）は押子を前進させた状態を示し、（ｂ）は同押子を後退させた状態を示す。
【図３】（ａ）は同出没式筆記具における押子を示す要部拡大図であり、（ｂ）〜（ｄ）の各々は、押子の他例を示す要部拡大図である。
【符号の説明】
【００３５】
１０：軸筒                    １３：受け部
２０：押子                    ２２，２５：鍔部
２２ａ，２２ａ’：突起          ２３，２４：凹部
２２：鍔部                    ３１：筆記先端部
４０：付勢部材                Ａ：出没式筆記具
【図１】
0004958650.tif 000002
【図２】
0004958650.tif 000003
【図３】
0004958650.tif 000004